(57)【特許請求の範囲】
【請求項１】
先端部に炭素熱源が取り付けられた棒状たばこ物品を内部に収容する収容部と、
前記収容部の奥行き方向と直交する横方向に当該収容部を仕切り、喫煙後のたばこ物品の灰の飛散を抑制する横仕切部と、を備え、
前記横仕切部は、前記棒状たばこ物品が１本ずつ貫通する横仕切部の孔を含み、
前記収容部の開口端又は当該開口端の近傍の位置であって、前記収容部に収容された、喫煙前の棒状たばこ物品の吸い口端側の端部が露出し、且つ、前記収容部に収容された、喫煙後の棒状たばこ物品の吸い口端側の端面が該横仕切部の上面と揃うような位置に設けられている、
棒状たばこ物品用パッケージ。
【請求項２】
前記収容部の奥行き方向と直交する横方向に当該収容部を仕切り、喫煙後のたばこ物品の灰の飛散を抑制する横仕切部が、前記収容部の下部にも設けられている、請求項１に記載の棒状たばこ物品用パッケージ。
【請求項３】
前記横仕切部は、前記横仕切部の孔の縁に設けられた、前記棒状たばこ物品を保持する横仕切部の保持部を有する、請求項１又は２に記載の棒状たばこ物品用パッケージ。
【請求項４】
前記収容部の奥行き方向に延びる縦壁により、前記棒状たばこ物品を一本ずつ収容する小領域に前記収容部を仕切る縦仕切部を更に備え、
前記小領域の内壁と当該小領域に収容される棒状たばこ物品の外郭との接点が２点〜４点である、請求項１から３の何れか１項に記載の棒状たばこ物品用パッケージ。
【請求項５】
前記小領域を複数備える、請求項４に記載の棒状たばこ物品用パッケージ。
【請求項６】
隣接する前記小領域が共有する前記縦仕切部において、前記棒状たばこ物品とそれぞれの小領域の壁面との接点が、異なる位置に配置された、請求項５に記載の棒状たばこ物品用パッケージ。
【請求項７】
複数の前記小領域のうち、何れの隣接する前記小領域が共有する前記縦仕切部においても、前記棒状たばこ物品とそれぞれの小領域の壁面との接点が、異なる位置に配置された
、請求項５に記載の棒状たばこ物品用パッケージ。
【請求項８】
前記縦仕切部の縦壁は、前記収容部の開口端又は当該開口端の近傍から前記収容部の底まで延びる、請求項４から７の何れか１項に記載の棒状たばこ物品用パッケージ。
【請求項９】
前記収容部、又は前記縦仕切部のうち、当該収容部に収容された棒状たばこ物品の前記炭素熱源近傍の領域は、喫煙後の棒状たばこ物品の熱源からの熱による変質を抑制する耐熱部を有する、請求項４から８の何れか１項に記載の棒状たばこ物品用パッケージ。
【発明の詳細な説明】
【技術分野】
【０００１】
本発明は、棒状たばこ物品用パッケージに関する。
【背景技術】
【０００２】
棒状たばこ物品を収容する棒状たばこ物品用パッケージ（包装）が広く知られている。パッケージの一例として、ヒンジリッド型パッケージがある。ヒンジリッド型パッケージは、アウタボックスに開閉自在に連結されたリッドと呼ばれる蓋部を備えた箱型パッケージである。ヒンジリッド型パッケージの一例として、特許文献１には、パッケージの本体を区分けすることが記載されている。また、特許文献２、３には、吸殻を収納する機能や、灰皿の機能を持たせたタバコのパッケージが開示されている。特許文献４，５には、消化機能を持つパッケージが開示されている。また、特許文献６には、紙巻タバコの火消装置が開示されている。【０００３】
また、近年では、たばこ葉を燃焼させずに、たばこの香喫味を味わうことができる非燃焼型の棒状たばこ物品も開発されている。例えば、先端に取り付けた発熱部材である熱源と、適当な基材に香喫味成分を保持させた香喫味発生材とを含み、熱源を燃焼させた熱によって香喫味発生材を燃焼させることなく加熱することで香喫味成分を含むエアロゾルを発生させる非燃焼型喫煙物品が知られている。この種の非燃焼型棒状たばこ物品の先端に取り付ける熱源としては、円筒形状に成形された炭素熱源を用いることが多い。例えば、炭素熱源は、高純度の炭素粒子、不燃添加物、有機又は無機のバインダ及び水を含む混合物を成形することによって得られる。
【先行技術文献】
【特許文献】
【０００４】
【特許文献１】中国実用新案第２０１６０４９１７号明細書
【特許文献２】特開２００１−８６９７３号公報
【特許文献３】特開２００４−１１５１２３号公報
【特許文献４】特開２００７−２５９８３９号公報
【特許文献５】特開平６−７０７４０号公報
【特許文献６】特開平９−３２２７５０号公報
【発明の概要】
【発明が解決しようとする課題】
【０００５】
喫煙後の棒状たばこ物品を棒状たばこ物品用パッケージに戻す場合、喫煙後の棒状たばこ物品が喫煙前の棒状たばこ物品を汚すことが懸念される。例えば、喫煙前の棒状たばこ物品の吸い口端が汚れてしまうと、棒状たばこ物品の喫煙が困難となる場合もある。【０００６】
本発明は、上記の問題に鑑み、喫煙後の棒状たばこ物品を棒状たばこ物品用パッケージに戻す場合、喫煙前の棒状たばこ物品を汚し難い棒状たばこ物品用パッケージを提供することを課題とする。
【課題を解決するための手段】
【０００７】
本発明は、上述した課題を解決するため、棒状たばこ物品を収容する収容部に、収容部の奥行き方向と直交する横方向に収容部を仕切り、喫煙後のたばこ物品の灰の飛散を抑制する横仕切部を設けることとした。【０００８】
詳細には、本発明は、内部に棒状たばこ物品を収容する収容部と、前記収容部の奥行き方向と直交する横方向に当該収容部を仕切り、喫煙後のたばこ物品の灰の飛散を抑制する横仕切部と、を備え、前記横仕切部は、前記棒状たばこ物品が1本ずつ貫通する横仕切部の孔を含む。【０００９】
本発明によれば、横仕切部により、喫煙後のたばこ物品の灰の飛散を抑制することができる。その結果、喫煙後の棒状たばこ物品を棒状たばこ物品用パッケージに戻す場合、喫煙前の棒状たばこ物品を汚し難くすることができる。【００１０】
本発明に係る棒状たばこ物品用パッケージは、前記収容部の開口端の一部に回動可能に連結され、前記開口端を開閉する蓋部を更に備えるものでもよい。本発明に係る棒状たばこ物品用パッケージは、所謂ヒンジリッドパッケージに好適に用いることができる。なお、本発明に係る棒状たばこ物品用パッケージは、所謂スライド式のパッケージなど、収容部を備えるパッケージに広く用いることができる。【００１１】
ここで、前記横仕切部は、前記開口端の近傍に設けるようにしてもよい。これにより、喫煙後の棒状たばこ物品を収容部に戻した場合、喫煙後の棒状たばこ物品の灰が収容部の外部に飛散することを抑制することができる。【００１２】
また、前記横仕切部は、前記収容部の開口端又は当該開口端の近傍の位置であって、前記収容部に収容された、喫煙前の棒状たばこ物品の端部が露出する位置に設けてもよい。喫煙前の棒状たばこ物品の端部が露出することで、パッケージの収容部に収容されている棒状たばこ物品が摘み易くなり、パッケージから棒状たばこ物品を容易に取り出すことができる。また、横仕切部を目安として、使用前の棒状たばこ物品と使用後の棒状たばこ物品とを明確に区別することができる。その結果、誤って、喫煙後の棒状たばこ物品を取り出してしまうことを低減できる。また、棒状たばこ物品は、先端部に炭素熱源を有するものとすることができ、この場合、横仕切部は、前記収容部に収容された、喫煙により短くなった喫煙後の棒状たばこ物品の端面が面一となる位置に設けるようにしてもよい。炭素熱源を有する棒状たばこ物品は、喫煙後、喫煙前よりも短くなり、また、その長さがほぼ一定となる。横仕切部を喫煙後の棒状たばこ物品の端面と面一となるようにすることで、使用前の棒状たばこ物品と使用後の棒状たばこ物品とを明確に区別することができる。また、美観が向上する。【００１３】
また、前記横仕切部は、前記収容部の下部に設けてもよい。これにより、例えば、収容部の下部に溜まった灰の飛散を抑制することができる。なお、この場合の横仕切部は、喫煙後の棒状たばこ物品の吸い口側とは反対側の端部よりも収容部の開口端側であることが好ましい。なお、収容部の下部に設ける横仕切部は、単独で設けてもよく、また、開口端又は開口端の近傍に設けられた横仕切部と共に設けるようにしてもよい。【００１４】
また、前記横仕切部は、前記横仕切部の孔の縁に設けられた、前記棒状たばこ物品を保持する横仕切部の保持部を有するものでもよい。これにより、棒状たばこ物品の移動を制限することができる。そのため、棒状たばこ物品同士の衝突や、棒状たばこ物品とパッケージの内壁面との衝突が抑制される。その結果、棒状たばこ物品の損傷を抑制することができる。【００１５】
また、本発明に係る棒状たばこ物品用パッケージは、前記収容部の奥行き方向に延びる縦壁により、前記棒状たばこ物品を一本ずつ収容する小領域に前記収容部を仕切る縦仕切部を更に備え、前記小領域の内壁と当該小領域に収容される棒状たばこ物品の外郭との接点が２点〜４点となるようにしてもよい。本発明によれば、収容部が縦仕切部で仕切られているため、棒状たばこ物品の収容部内での移動が制限される。そのため、棒状たばこ物品同士の衝突や、棒状たばこ物品とパッケージの内壁面との衝突が抑制される。その結果、棒状たばこ物品の損傷を抑制することができる。本発明によれば、小領域の内壁と小領域に収容される棒状たばこ物品の外郭との接点が２点〜４点であり、小領域の内壁と小領域に収容される棒状たばこ物品の外郭とは点で接し、接点以外の領域では、小領域の内壁と小領域に収容される棒状たばこ物品の外郭との間に隙間が形成される。その結果、棒状たばこ物品を容易に取り出すことができ、また、吸殻としての、喫煙後の棒状たばこ物品を、パッケージの収容部に容易に戻すことができる。棒状たばこ物品としては、円柱状のものを好適に用いることができる。【００１６】
また、本発明に係る棒状たばこ物品用パッケージは、小領域を複数備える構成とすることができる。これにより、複数の棒状たばこ物品を収容でき、棒状たばこ物品の損傷を抑制することができる。【００１７】
また、本発明に係る棒状たばこ物品用パッケージは、小領域が複数の場合、接点が、隣接する小領域で共有されない構成とすることができる。接点を共有しない場合、接点を共有する場合と比較して、縦壁が外側に撓みやすくなる。そのため、棒状たばこ物品を容易に取り出すことができ、また、吸殻としての、喫煙後の棒状たばこ物品を、パッケージの収容部に容易に戻すことができる。【００１８】
また、本発明に係る棒状たばこ物品用パッケージは、小領域が複数の場合、前記接点が、全ての小領域で共有されない構成とすることができる。全ての接点が共有されない場合には、縦壁が何れの方向にも撓みやすくなる。そのため、一部の接点が共有されている場合と比較して、棒状たばこ物品を更に容易に取り出すことができ、また、吸殻としての、喫煙後の棒状たばこ物品を、パッケージの収容部に更に容易に戻すことができる。【００１９】
また、前記縦仕切部の縦壁は、前記収容部の開口端又は当該開口端の近傍から前記収容部の底まで延びるようにしてもよい。これにより、各小領域を独立した領域とすることができる。喫煙後の棒状たばこ物品を収容部に戻す場合、喫煙後の棒状たばこ物品が喫煙前の棒状たばこ物品を汚す虞がある。本発明に係る棒状たばこ物品用パッケージは、各小領域が独立しているため、喫煙後の棒状たばこ物品で喫煙前の棒状たばこ物品を汚すことを低減できる。【００２０】
また、小領域は、開口断面の形状が、楕円形、三角形、四角形、ひし形、五角形、六角形のうち少なくとも何れか一つとしてもよい。棒状たばこ物品が円柱状の場合、楕円形は、接点が２つとなる場合の一例である。また、三角形は、接点が３つとなる場合の一例である。また、四角形、ひし形、五角形、六角形は、接点が４つとなる場合の一例である。五角形、六角形の場合には、正多角形とすると、接点が５か所、６カ所となるため、細長くするなど、接点が４つになるように辺の長さや内角を調整する必要がある。小領域の開口断面形状を上記のようにすることで、開口断面の形状が円形や五角形を上回る多角形の場合と比較して、棒状たばこ物品と縦壁との間に適度な隙間が形成される。その結果、棒状たばこ物品を更に容易に取り出すことができ、また、吸殻としての、喫煙後の棒状たばこ物品を、パッケージの収容部に更に容易に戻すことができる。【００２１】
また、本発明に係る棒状たばこ物品用パッケージにおいて、前記収容部、又は前記縦仕切部のうち、当該収容部に収容された棒状たばこ物品の熱源近傍の領域は、喫煙後の棒状たばこ物品の熱源からの熱による変質を抑制する耐熱部を有するものでもよい。これにより、喫煙後の棒状たばこ物品の熱源からの熱によるパッケージの変質を抑制することができる。【００２２】
前記棒状たばこ物品は、先端側に設けられた炭素熱源と、前記炭素熱源の後端に連設されたエアロゾル発生セクションと、前記炭素熱源の一部と前記エアロゾル発生セクションの外周を巻き取る包被材料と、を含んでいてもよい。先端部に炭素熱源が取り付けられた棒状たばこ物品では、先端部の炭素熱源が衝撃によって割れたり、香喫味発生材から脱落してしまうと、喫煙行為自体が阻害される虞がある。上述したように、本発明に係る棒状たばこ物品用パッケージは、内部に収容する棒状たばこ物品の損傷を抑制できる。したがって、本発明に係る棒状たばこ物品用パッケージは、先端側に炭素熱源を有する棒状たばこ物品のパッケージとして好適に用いることができる。棒状たばこ物品は、例えば、紙巻たばこ（フィルタシガレット、両切たばこ（フィルタ無し））、シガー（葉巻）、シガリロ、電子たばこ等でもよい。【００２３】
なお、本発明における課題を解決するための手段は、可能な限り組み合わせて採用することができる。
【発明の効果】
【００２４】
本発明によれば、喫煙後の棒状たばこ物品を棒状たばこ物品用パッケージに戻す場合、喫煙前の棒状たばこ物品を汚し難い棒状たばこ物品用パッケージを提供することができる。
【図面の簡単な説明】
【００２５】
【図１】図１は、各実施形態に係るパッケージに収容される非燃焼型喫煙物品を示す。
【図２】図２は、第１実施形態に係るパッケージの閉状態の斜視図を示す。
【図３】図３は、第１実施形態に係るパッケージの開状態の斜視図を示す。
【図４】図４は、第１実施形態に係るパッケージの開状態の側面図を示す。
【図５】図５は、第１実施形態に係るパッケージの開状態の上面図を示す。
【図６】図６は、図３のＢ−Ｂ断面図を示す。
【図７】図７は、図３のＣ−Ｃ断面図を示す。
【図８】図８は、第１実施形態に係るパッケージの分解斜視図を示す。
【図９】図９は、第１実施形態に係るパッケージの縦仕切部及び横仕切部の組み立て手順を説明する図を示す。
【図１０】図１０は、第１実施形態に係るパッケージの縦仕切部の一部を構成するブランクを示す。
【図１１】図１１は、第１実施形態に係るパッケージの縦仕切部の一部を構成するブランクを示す。
【図１２】図１２は、第１実施形態に係るパッケージの縦仕切部の一部を構成するブランクを示す。
【図１３】図１３は、第１実施形態に係るパッケージの縦仕切部の一部を構成するブランクを示す。
【図１４】図１４は、第１実施形態に係るパッケージの横仕切部を構成するブランクを示す。
【図１５】図１５は、第１実施形態に係るパッケージの開状態であり、喫煙前の非燃焼型喫煙物品が収容された状態の斜視図を示す。
【図１６】図１６は、第１実施形態に係るパッケージの開状態であり、喫煙後の非燃焼型喫煙物品が２本収容された状態の斜視図を示す。
【図１７】図１７は、第２実施形態に係るパッケージの閉状態の斜視図を示す。
【図１８】図１８は、第２実施形態に係るパッケージの開状態の斜視図を示す。
【図１９】図１９は、第２実施形態に係るパッケージの開状態の側面図を示す。
【図２０】図２０は、第２実施形態に係るパッケージの開状態の上面図を示す。
【図２１】図２１は、図１８のＢ−Ｂ断面図を示す。
【図２２】図２２は、第３実施形態に係るパッケージにおける、小領域と非燃焼型喫煙物品との接点を説明する図を示す。
【図２３】図２３は、第２実施形態に係るパッケージの分解斜視図を示す。
【図２４】図２４は、第２実施形態に係るパッケージの第３縦仕切部の組み立て手順を説明する図を示す。
【図２５】図２５は、第２実施形態に係るパッケージの第３縦仕切部の一部を構成するブランクを示す。
【図２６】図２６は、第２実施形態に係るパッケージの第３縦仕切部の一部を構成するブランクを示す。
【図２７】図２７は、第２実施形態に係るパッケージの第３縦仕切部の一部を構成するブランクを示す。
【図２８】図２８は、第２実施形態に係るパッケージの第３縦仕切部の一部を構成するブランクを示す。
【図２９】図２９は、第２実施形態に係るパッケージの第３縦仕切部の一部を構成するブランクを示す。
【図３０】図３０は、第２実施形態に係るパッケージの開状態であり、喫煙前の非燃焼型喫煙物品が収容された状態の斜視図を示す。
【図３１】図３１は、第２実施形態に係るパッケージの開状態であり、喫煙後の非燃焼型喫煙物品が２本収容された状態の斜視図を示す。
【図３２】図３２は、第３実施形態に係るパッケージの開状態の斜視図を示す。
【図３３】図３３は、第３実施形態に係るパッケージの開状態の側面図を示す。
【図３４】図３４は、第４実施形態に係るパッケージの閉状態の斜視図を示す。
【図３５】図３５は、第４実施形態に係るパッケージの開状態の斜視図を示す。
【図３６】図３６は、第４実施形態に係るパッケージの開状態の側面図を示す。
【図３７】図３７は、第４実施形態に係るパッケージの開状態の上面図を示す。
【図３８】図３８は、第４実施形態に係るパッケージの分解斜視図を示す。
【図３９】図３９は、第４実施形態に係るパッケージの縦仕切部の組み立て手順を説明する図を示す。
【図４０】図４０は、第４実施形態に係るパッケージの縦仕切部の一部を構成するブランクを示す。
【図４１】図４１は、第４実施形態に係るパッケージの縦仕切部の一部を構成するブランクを示す。
【図４２】図４２は、第４実施形態の変形例に係るパッケージにおける、小領域と非燃焼型喫煙物品との接点を説明する図を示す。
【図４３】図４３は、開口断面が楕円形の小領域と非燃焼型喫煙物品との接点を説明する図を示す。
【図４４】図４４は、開口断面が二等辺三角形の小領域と非燃焼型喫煙物品との接点を説明する図を示す。
【図４５】図４５は、開口断面がひし形の小領域と非燃焼型喫煙物品との接点を説明する図を示す。
【図４６】図４６は、開口断面が細長の六角形の小領域と非燃焼型喫煙物品との接点を説明する図を示す。
【発明を実施するための形態】
【００２６】
ここで、本発明に係る棒状たばこ物品用パッケージの実施形態について、図面に基づいて説明する。なお、本実施形態に記載されている構成要素の寸法、材質、形状、その相対配置等は、特に特定的な記載がない限りは、発明の技術的範囲をそれらのみに限定する趣旨のものではない。
【００２７】
＜棒状たばこ物品＞
まず、棒状たばこ物品の一例として、各実施形態に係るパッケージに収容される非燃焼型喫煙物品について説明する。以下に説明する各実施形態に係るパッケージは、非燃焼型喫煙物品のパッケージとして好適に用いることができる。図１は、各実施形態に係るパッケージに収容される非燃焼型喫煙物品を示す。非燃焼型喫煙物品１０は、加熱されて香喫味成分を含むエアロゾルを発生するエアロゾル発生セクション１１を有する。このエアロゾル発生セクション１１は、アルミニウム、ステンレス鋼等の熱的に安定な材料で形成された筒体内に、例えばシートたばこやたばこ刻を充填したものである。
【００２８】
エアロゾル発生セクション１１の先端には、炭素熱源１２が設けられている。また、エアロゾル発生セクション１１の後端には、フィルタ１４が連設されている。エアロゾル発生セクション１１およびフィルタ１４の全外周と、炭素熱源１２の一部外周とは、包被材料１５により巻かれて一体化されている。包被材料１５は、例えばパルプを主原料とした紙で作製された紙管であってもよい。この紙管には、通常のシガレットに用いる巻紙、厚紙等を用いてもよい。厚紙の坪量は、１００〜３００ｇ／ｍ２程度としてもよい。フィルタ１４は、通常のシガレットに用いられるフィルタを適用することができる。炭素熱源１２は、例えば高純度の炭素粒子、不燃添加物、有機又は無機のバインダ及び水を含む混合物を圧縮成形又は押出成形したものであり、本実施形態では円柱形状に成形されている。また、フィルタ１４におけるエアロゾル発生セクション１１とは逆側の端部には吸い口端が形成されている。勿論、非燃焼型喫煙物品１０の形態には、種々の変形を加えることができる。例えば、炭素熱源１２には、外部空気を取り込むための貫通孔が炭素熱源１２の長手軸方向に貫通形成されていてもよい。
【００２９】
ところで、各実施形態に係るパッケージに収容される非燃焼型喫煙物品１０は、上記のように先端に炭素熱源１２が取り付けられている。そして、炭素熱源１２は、上記のように炭素粒子をバインダによって固めているため、比較的脆い。そのため、パッケージ本体内で非燃焼型喫煙物品１０が自由に移動してしまうと、振動や、パッケージの内壁面に炭素熱源１２が衝突したり、非燃焼型喫煙物品１０同士が衝突する際の衝撃等によって、非燃焼型喫煙物品１０の炭素熱源１２が割れてしまったり、炭素熱源１２がエアロゾル発生セクション１１から脱落する虞がある。このような場合、非燃焼型喫煙物品１０を喫煙することができなくなる虞がある。また、パッケージの内壁面に炭素熱源１２が衝突したり、非燃焼型喫煙物品１０同士が衝突することによって、炭素熱源１２が削れて炭素粉が発生し、包被材料１５の表面やフィルタ１４の吸い口端を汚す虞がある。そこで、各実施形態に係るパッケージは、パッケージ本体を仕切る構造を有している。以下、その詳細について説明する。
【００３０】
＜第１実施形態＞
図２は、第１実施形態に係るパッケージの閉状態の斜視図を示す。図３は、第１実施形態に係るパッケージの開状態の斜視図を示す。図４は、第１実施形態に係るパッケージの開状態の側面図を示す。図５は、第１実施形態に係るパッケージの開状態の上面図（図３の矢視Ａ）を示す。図６は、図３のＢ−Ｂ断面図を示す。図７は、図３のＣ−Ｃ断面図を示す。図８は、第１実施形態に係るパッケージの分解斜視図を示す。
【００３１】
第１実施形態に係る棒状たばこ物品を収容する棒状たばこ物品用パッケージ２００（以下、単に“パッケージ”という）は、所謂ヒンジリッドパッケージであり、パッケージ本体２と、パッケージ本体２に第１ヒンジＨ１を介して回動自在に連結される蓋部であるリッド３とを含む。なお、以下、本明細書において、パッケージ１００の正面側を“前方”と定義し、背面側を“後方”と定義する。また、パッケージ１００のリッド３側を“上方”と定義し、反対側（パッケージの底側）を“下方”と定義する。また、パッケージ１００の側壁側を“側方”又は“横方向”と定義する。
【００３２】
＜＜パッケージ本体＞＞
パッケージ本体２は、本発明の収容部に相当し、内部に非燃焼型喫煙物品１０を収容する収容箱である。パッケージ本体２の上端は開放端となっており非燃焼型喫煙物品１０を取り出すことが可能である。
【００３３】
パッケージ本体２は、直方体形状の上端側が斜めに切り欠かれた形状を有する箱体である。パッケージ本体２は、パッケージ本体の前壁２１、パッケージ本体の後壁２２、パッケージ本体の側壁２３，２３、パッケージ本体の下壁２４を有する。パッケージ本体の前壁２１及びパッケージ本体の後壁２２は夫々長方形であり、パッケージ本体の前壁２１はパッケージ本体の後壁２２に比べて高さ寸法が短尺の長方形であり、パッケージ本体の後壁２２と対向している。一組のパッケージ本体の側壁２３，２３は、パッケージ本体の前壁２１及びパッケージ本体の後壁２２の両側縁と連結され、長方形の上端が斜辺となった台形状である。すなわち、パッケージ本体の側壁２３，２３の上縁は、パッケージ本体の前壁２１の上端とパッケージ本体の後壁２２の上端とを結ぶように傾斜している。パッケージ本体の下壁２４は、長方形であり、パッケージ本体の前壁２１及びパッケージ本体の後壁２２の下端に連結されている。また、パッケージ本体の後壁２２には、第１ヒンジＨ１が形成されている。第１ヒンジＨ１は、パッケージ本体の後壁２２とリッドの後壁３２との境界に形成され、後部間に亘って延伸し、パッケージ本体の後壁２２とリッド３とを相互に回動自在に連結している。
【００３４】
＜＜リッド＞＞
リッド３は、パッケージ本体２の開口を覆う。リッド３は、第１ヒンジＨ１に連結されている長方形のリッドの後壁３２と、リッドの後壁３２に直交するように連結されている長方形のリッドの上壁３４と、リッドの上壁３４と直交するように連結されている一組の台形のリッドの側壁３３，３３と、リッドの後壁３２と対向するリッドの前壁３１を有している。リッドの側壁３３，３３は、夫々が、リッドの後壁３２、リッドの上壁３４の各側縁と連結されている。リッド３が開状態では、パッケージ本体２の開口から非燃焼型喫煙物品１０の出し入れが自在となる。一方で、リッド３が閉状態では、リッドの側壁３３，３３の斜辺、すなわち傾斜する下縁とパッケージ本体の側壁２２，２２の斜辺、すなわち傾斜する上縁とが合致する。また、リッドの前壁３１の下縁と、パッケージ本体の前壁２１の上縁とが合致する。その結果、パッケージ本体２の開口がリッド３によって覆われ、パッケージ本体２の内部が閉空間となる。
【００３５】
＜＜縦仕切部＞＞
第１実施形態に係るパッケージ２００は、パッケージ本体２を仕切る第１縦仕切部４１０、及び第２縦仕切部４２０によって、複数の小領域ＳＲに仕切られている。第１実施形態では、パッケージ本体２が１０個の小領域ＳＲに仕切られており、各小領域ＳＲに非燃焼型喫煙物品１０が１本ずつ収容可能である。また、これらの小領域ＳＲは、開口断面が四角形である。小領域ＳＲは、後述する２つの横仕切部（第１横仕切部５１、第２横仕切部５２）よって、高さ方向（上下方向）が仕切られている。第１縦仕切部４１０は、第１横仕切部５１と第２横仕切部５２との間に設けられ、パッケージ本体２を前方と後方に仕切る第１中央壁４１１、前方から後方に向けて延び、パッケージ本体２を横方向に複数に仕切る、複数の第１分割壁４１２を含む。また、第２縦仕切部４２０は、第２横仕切部５２とパッケージ本体の下壁２４との間に設けられ、パッケージ本体２を前方と後方に仕切る第２中央壁４２１、前方から後方に向けて延び、パッケージ本体２を横方向に複数に仕切る、複数の第２分割壁４２２を含む。第１中央壁４１１、第１分割壁４１２、第２中央壁４２１、第２分割壁４２２は、本発明の縦壁の一例である。
【００３６】
なお、第１実施形態に係るパッケージ２００では、開口断面が四角形の小領域ＳＲの内面と非燃焼型喫煙物品１０との周面が接していないが、開口断面を小さくし、小領域ＳＲの内面と非燃焼型喫煙物品１０との周面とが４つの接点で接するようにしてもよい。具体的には、第１縦仕切部４１０を構成する第１中央壁４１１と第１分割壁４１２とによって構成される開口断面が四角形の小領域ＳＲ、及び、第２縦仕切部４２０を構成する第２中央壁４２１と第２分割壁４２２とによって構成される開口断面が四角形の小領域ＳＲの開口断面を小さくし、小領域ＳＲの内面と非燃焼型喫煙物品１０との周面とが４つの接点で接するようにしてもよい。これにより、より確実に非燃焼型喫煙物品１０の位置を固定することができる。その結果、非燃焼型喫煙物品１０同士の衝突や、非燃焼型喫煙物品１０とパッケージ本体２の内壁面との衝突をより確実に抑制できる。
【００３７】
第１中央壁４１１は、パッケージ本体の前壁２１とパッケージ本体の後壁２２との間に、これらの壁と平行に設けられている。第１中央壁４１１の上端は、パッケージ本体の後壁２２よりもやや低い高さにあり、第１横仕切部５１の下面に接している。第１中央壁４１１の下端は、パッケージ本体の下壁２４よりも上方にあり、第２横仕切部５２の上面に接している。第１分割壁４１２は、パッケージ本体の前壁２１からパッケージ本体の後壁２２に延びている。第１分割壁の上端と下端は、第１中央壁４１１の上端と下端と同じ高さにある。
【００３８】
第２中央壁４２１は、第１中央壁４１１と比較して高さ寸法が小さいが、第１中央壁と同様、パッケージ本体の前壁２１とパッケージ本体の後壁２２との間に、これらの壁と平行に設けられている。第２中央壁４２１の上端は、第２横仕切部５２の下面に接している。第２中央壁４２１の下端は、パッケージ本体の下壁２４の上面に接している。第２分割壁４２２は、第１分割壁４１２と比較して高さ寸法が小さいが、パッケージ本体の前壁２１からパッケージ本体の後壁２２に延びている。第２分割壁の上端と下端は、第２中央壁４２１の上端と下端と夫々同じ高さにある。また、第２中央壁４２１及び第２分割壁４２２は、喫煙後の非燃焼型喫煙物品１０の炭素熱源１２からの熱による変質を抑制するためアルミニウムからなる耐熱層が表面に形成されている。
【００３９】
＜＜横仕切部＞＞
第１実施形態に係るパッケージ２００は、上述した第１縦仕切部４１０、及び第２縦仕切部４２０に加え、第１横仕切部５１、及び第２横仕切部５２を含む横仕切部５によって、パッケージ本体２が高さ方向（上下方向）においても仕切られている。詳細には、横仕切部５は、第１横仕切部５１、第２横仕切部５２、横仕切部の前壁５１１、パッケージ本体の後壁２２の内側に沿う横仕切部の後壁５１２、パッケージ本体の側壁２３，２３の内側に沿う横仕切部の側壁５１３，５１３を含む。第１横仕切部５１は、喫煙前の非燃焼型喫煙物品１０の吸い口側の端部が第１横仕切部５１の上面から露出するように、パッケージ本体の後壁２２の上端よりもやや低い高さに設けられている。一方で、第１横仕切部５１は、喫煙後の非燃焼型喫煙物品１０の吸い口側の端面が第１横仕切部５１の上面と同じになるように、パッケージ本体の後壁２２の上端よりもやや低い高さに設けられている。第１横仕切部５１は、横方向の両縁にパッケージ本体の下壁２４まで延びる横仕切部の側壁５１３，５１３が連なっており、この横仕切部の側壁５１３，５１３によって支持されている。第１横仕切部５１の後縁には、下方に延びる横仕切部の後壁５１２の上縁が連なり、第１横仕切部５１の前縁には、下方に延びる横仕切部の前壁５１１の上縁が連なっている。また、第１横仕切部５１には、１０個の小領域ＳＲに対応して、非燃焼型喫煙物品１０が貫通する第１横仕切部の孔５１５が形成されている。この第１横仕切部の孔５１５の縁には、非燃焼型喫煙物品１０を保持する第１横仕切部の保持部５１６が設けられている。第１横仕切部の孔５１５は、八角形であり、各辺には、先端が内側、かつ下方を指す、三角形の第１横仕切部の保持部５１６が連なっている。
【００４０】
第２横仕切部５２は、喫煙後の非燃焼型喫煙物品１０の炭素熱源１２がパッケージ本体の下壁２４と第２横仕切部５２との間に収まるように、パッケージ本体の下壁２４よりも高い位置に設けられている。第２横仕切部５２は、第２縦仕切部４２０によって支持されている。また、第２横仕切部５２の後縁には、上方に延びる横仕切部の後壁５１２の下縁が連なっている。つまり、第１横仕切部５１と第２横仕切部５２は、横仕切部の後壁５１２によって連結されている。第１実施形態では、横仕切部の前壁５１１は、高さ方向の中心付近で分断されている。また、第２横仕切部５２には、第１横仕切部５１と同じく、１０個の小領域ＳＲに対応して、非燃焼型喫煙物品１０が貫通する第２横仕切部の孔５２５が形成されている。この第２横仕切部の孔５２５の縁には、非燃焼型喫煙物品１０を保持する第２横仕切部の保持部５２６が設けられている。第２横仕切部の孔５２５は、八角形であり、各辺には、先端が内側、かつ下方を指す、三角形の第２横仕切部の保持部５２６が連なっている。なお、第２横仕切部５２は、第１横仕切部５１と異なり、第２横仕切部５２の下面、及び第２横仕切部の保持部５２６の下面に喫煙後の非燃焼型喫煙物品１０の炭素熱源１２からの熱による変質を抑制するためアルミニウムからなる耐熱層が形成されている。
【００４１】
＜＜ブランク＞＞
図９は、第１実施形態に係るパッケージの縦仕切部及び横仕切部の組み立て手順を説明する図を示す。図１０は、第１実施形態に係るパッケージの縦仕切部の一部を構成するブランクを示す。図１１は、第１実施形態に係るパッケージの縦仕切部の一部を構成するブランクを示す。図１２は、第１実施形態に係るパッケージの縦仕切部の一部を構成するブランクを示す。図１３は、第１実施形態に係るパッケージの縦仕切部の一部を構成するブランクを示す。図１４は、第１実施形態に係るパッケージの横仕切部を構成するブランクを示す。なお、パッケージ本体２、及びリッド３には、既存の各種ブランクを用いることができる。したがって、パッケージ本体２、及びリッド３を構成するブランクの説明は、割愛する。パッケージ本体の下壁２４の下部、パッケージ本体の前壁２１の下部、パッケージ本体の後壁２２の下部、及びパッケージ本体の側壁０の下部の内側面に対応する区域には、アルミニウムからなる耐熱層が形成されている。
【００４２】
図１０に示すブランクＢ２１は、図１１に示すブランクＢ２２と組み合わせることで、第１縦仕切部４１０を構成する。ブランクＢ２１は、長方形であり、第１中央壁４１１を構成する。ブランクＢ２１には、下縁から高さ方向（上下方向）の中央付近まで延びる直線状の切欠きＣ２１が等間隔で４本形成されている。切欠きＣ２１の間隔は、開口断面が四角形の小領域ＳＲにおける四角形の一辺に対応する。
【００４３】
図１１に示すブランクＢ２２は、長方形であり、第１分割壁４１２を構成する。ブランクＢ２２には、上縁から上下方向の中央付近まで延びる直線状の切欠きＣ２２が横方向の中央付近に１本形成されている。ブランクＢ２２の幅は、開口断面が四角形の小領域ＳＲにおける四角形の二辺分に対応する長さを有する。
【００４４】
図１２に示すブランクＢ２３は、図１３に示すブランクＢ２４と組み合わせることで、第２縦仕切部４２０を構成する。ブランクＢ２３は、長方形であり、第２中央壁４２１を構成する。ブランクＢ２３には、下縁から上下方向の中央付近まで延びる直線状の切欠きＣ２３が等間隔で４本形成されている。切欠きＣ２３の間隔は、四角形の小領域ＳＲにおける四角形の一辺に対応する。ブランクＢ２３の両面には、アルミニウムからなる耐熱層が形成されている。
【００４５】
図１３に示すブランクＢ２４は、長方形であり、第２分割壁４２２を構成する。ブランクＢ２４には、上縁から上下方向の中央付近まで延びる直線状の切欠きＣ２４が横方向の中央付近に１本形成されている。ブランクＢ２４の幅は、開口断面が四角形の小領域ＳＲにおける四角形の二辺分に対応する長さを有する。ブランクＢ２４の両面には、アルミニウムからなる耐熱層が形成されている。
【００４６】
図１４に示すブランクＢ２５は、組み立てることで、横仕切部５を構成する。ブランクＢ２５は、第１横仕切部５１を構成する長方形の第１横仕切区域Ｒ２５１を有する。第１横仕切区域Ｒ２５１には、第１横仕切部の孔５１５、及び第１横仕切部の保持部５１６を構成するため、１０個の第１横仕切部の孔５１５の夫々に対応する位置に、第１横仕切部の孔５１５を放射状に８分割する放射線状の切欠Ｃ２５が形成されている。
【００４７】
第１横仕切区域Ｒ２５１の上縁には、横仕切部の前壁５１１（上側）を構成する横仕切部の前壁区域Ｒ２５２が連なっている。第１横仕切区域Ｒ２５１の両側縁には、横仕切部の側壁５１３，５１３を構成する長方形の横仕切部の側壁区域Ｒ２５３，Ｒ２５３が連なっている。横仕切部の側壁区域Ｒ２５３，Ｒ２５３の第１横仕切区域Ｒ２５１と反対側の端部には、縁から第１横仕切区域Ｒ２５１に向けて延びる直線状の切欠きＣ２６が形成されている。この直線状の切欠きＣ２６には、第２横仕切部の中央壁４５の端部が係合される。そのため、この直線状の切欠きＣ２６の長さ（深さ）寸法は、第２横仕切部の中央壁４５の高さ寸法に応じて設計されている。また、横仕切部の側壁区域Ｒ２５３，Ｒ２５３の裏面（図１４における裏面）のうち、上記切欠きＣ２６が形成された領域には、アルミニウムからなる耐熱層が形成されている。
【００４８】
第１横仕切区域Ｒ２５１の下縁には、横仕切部の後壁５１２を構成する、長方形の第１横仕切の後壁区域Ｒ２５４が連なっている。第１横仕切の後壁区域Ｒ２５４の下縁には、第２横仕切部５２を構成する、長方形の第２横仕切区域Ｒ２５５が連なっている。第２横仕切区域Ｒ２５５には、第１横仕切区域Ｒ２５１と同じく、第２横仕切部の孔５２５、及び第２横仕切部の保持部５２６を構成するため、１０個の第２横仕切部の孔５２５の夫々に対応する位置に、第２横仕切部の孔５２５を放射状に８分割する放射線状の切欠Ｃ２５が形成されている。第２横仕切区域Ｒ２５５には、横仕切部の前壁５１１（下側）を構成する横仕切部の前壁区域Ｒ２５６が連なっている。
【００４９】
図９（ａ）に示すように、ブランクＢ２１の切欠きＣ２１と、ブランクＢ２２の切欠き２２が係合し、ブランクＢ２１とブランクＢ２２が直交するように、ブランクＢ２１と４つのブランクＢ２２が組み合わされる。その結果、第１縦仕切部４１０が成形される。次に、図９（ｂ）、（ｃ）に示すように、第１縦仕切部４１０を包み込むように、ブランクＢ２５は、図１４において破線で示した折り込み線で夫々折り込まれる。具体的には、横仕切部の後壁区域Ｒ２５４に沿うように第１縦仕切部４１０が配置され、第１縦仕切部４１０の上端側に第１横仕切区域Ｒ２５１、第１縦仕切部４１０の横方向の両側に横仕切部の側壁区域Ｒ２５３，Ｒ２５３、第１縦仕切部４１０の前方側の上部に横仕切部の前壁区域Ｒ２５２、第１縦仕切部４１０の下端側に第２横仕切区域Ｒ２５５、第１縦仕切部４１０の前方側の下部に横仕切部の前壁区域Ｒ２５６が沿うように、ブランクＢ２５が折り込まれる。
【００５０】
次に、図９（ｄ）に示すように、ブランクＢ２３の切欠きＣ２３と、ブランクＢ２４の切欠き２４が係合し、ブランクＢ２３とブランクＢ２４が直交するように、ブランクＢ２３と４つのブランクＢ２４が組み合わされる。その結果、第２縦仕切部４２０が成形される。横仕切部の側壁区域Ｒ２５３，Ｒ２５３に形成された切欠きＣ２６に第２縦仕切部４２０の横方向の両端部が係合される。その結果、横仕切部５、第１縦仕切部４１０、及び第２縦仕切部４２０が一体化される（図９（ｅ））。なお、上記組み立て手順は、一例であり、これに限定されるものではない。
【００５１】
図８に示すように、一体化された、横仕切部５、第１縦仕切部４１０、及び第２縦仕切部４２０がパッケージ本体２内に収容され、第１実施形態に係るパッケージ２００が完成する。
【００５２】
＜＜作用効果＞＞
第１実施形態に係るパッケージ２００によれば、パッケージ本体２が、第１縦仕切部４１０、第２縦仕切部４２０、第１横仕切部５１、第２横仕切部５２で仕切られているため、非燃焼型喫煙物品１０のパッケージ本体２内での移動が制限される。特に、第１実施形態に係るパッケージ２００では、第１横仕切部の保持部５１６及び第２横仕切部の保持部５２６により、非燃焼型喫煙物品１０の移動が制限される。そのため、非燃焼型喫煙物品１０同士の衝突や、非燃焼型喫煙物品１０とパッケージ１００の内壁面との衝突が抑制される。その結果、非燃焼型喫煙物品１０の損傷を抑制することができる。特に、非燃焼型喫煙物品１０の炭素熱源１２が割れてしまったり、炭素熱源１２がエアロゾル発生セクション１１から脱落することの抑制が可能となる。
【００５３】
また、第１実施形態に係るパッケージ２００は、第１縦仕切部４１０、第２縦仕切部４２０、第１横仕切部５１、第２横仕切部５２によって、小領域ＳＲが完全に仕切られている。そのため、喫煙後の非燃焼型喫煙物品１０をパッケージ本体２に戻した場合でも、喫煙後の非燃焼型喫煙物品１０が喫煙前の非燃焼型喫煙物品１０を汚すこともない。また、第２横仕切部５２によれば、喫煙前、又は喫煙後の非燃焼型喫煙物品１０の炭素熱源１２の炭素粉や、喫煙後の非燃焼型喫煙物品１０の炭素熱源１２の灰が第２横仕切部５２よりも上方に飛散することを抑制することができる。また、第１横仕切部５１によれば、喫煙前、又は喫煙後の非燃焼型喫煙物品１０の炭素熱源１２の炭素粉や、喫煙後の非燃焼型喫煙物品１０の炭素熱源１２の灰がパッケージ１００の外部に飛散することを抑制することができる。
【００５４】
また、第１縦仕切部４１０は、喫煙後の非燃焼型喫煙物品１０をパッケージ本体２に戻す際に、第１横仕切部の孔５１５から挿入された喫煙後の非燃焼型喫煙物品１０の先端（炭素熱源１２）を第２横仕切部の孔５２５へ導くことができる。また、第１横仕切部の保持部５１６、及び第２横仕切部の保持部５２６は、内側かつ下方を指しているため、喫煙後の非燃焼型喫煙物品１０を容易にパッケージ本体２に戻すことができる。更に、第１横仕切部の孔５１５と非燃焼型喫煙物品１０と周面とは、面ではなく、線（孔の縁）で接しているため、面で接する場合と比較して、非燃焼型喫煙物品１０をパッケージ１００に出し入れする際の抵抗を低減することができる。
【００５５】
また、パッケージ本体の下壁２４、パッケージ本体の前壁２１の下部、パッケージ本体の後壁２２の下部、及びパッケージ本体の側壁２３，２３の下部の夫々の内側面、更に、第２横仕切部５２の下面、及び第２横仕切部の保持部５２６の下面には、アルミニウムからなる耐熱層が形成されている。その結果、喫煙後の非燃焼型喫煙物品１０をパッケージ１００に戻した場合でも炭素熱源１２からの熱によるパッケージ１００の変質を抑制することができる。
【００５６】
また、第１横仕切部５１は、喫煙前の非燃焼型喫煙物品１０の吸い口側の端部が第１横仕切部５１の上面から露出し、喫煙後の非燃焼型喫煙物品１０の吸い口端側の端面が第１横仕切部５１の上面と同じになるように、パッケージ本体の後壁２２の上端よりもやや低い高さに設けられている。ここで、図１５は、第１実施形態に係るパッケージの開状態であり、喫煙前の非燃焼型喫煙物品が収容された状態の斜視図を示す。図１６は、第１実施形態に係るパッケージの開状態であり、喫煙後の非燃焼型喫煙物品が２本収容された状態の斜視図を示す。図１５、図１６に示すように、第１実施形態に係るパッケージ２００によれば、喫煙前の非燃焼型喫煙物品１０の吸い口側の端部が露出することで、パッケージ本体２に収容されている喫煙前の非燃焼型喫煙物品１０が摘み易くなり、パッケージ本体２から喫煙前の非燃焼型喫煙物品１０を容易に取り出すことができる。また、喫煙前の非燃焼型喫煙物品１０と喫煙後の非燃焼型喫煙物品１０を容易に区別することができる。また、喫煙後の非燃焼型喫煙物品１０の吸い口端側の端面が第１横仕切部５１の上面と揃うため、美観にも優れている。なお、喫煙後の非燃焼型喫煙物品１０の吸い口端側の端面が第１横仕切部５１の上面よりも低くなるように、第１横仕切部５１を設けるようにしてもよい。この場合、喫煙前、又は喫煙後の非燃焼型喫煙物品１０の炭素熱源１２の炭素粉や、喫煙後の非燃焼型喫煙物品１０の炭素熱源１２の灰の飛散が懸念される。しかしながら、小領域ＳＲは、第１横仕切部の孔５１５が、四角形の開口断面の断面積よりも小さい断面積を有する円形により構成され、入口が狭く形成されている。更に、第１横仕切部の孔５１５には、第１横仕切部の保持部５１６が設けられ、第２横仕切部の孔５２５には、第２横仕切部の保持部５２６が設けられ、何れの孔も保持部がない場合と比較して孔が狭くなっている。そのため、喫煙前、又は喫煙後の非燃焼型喫煙物品１０の炭素熱源１２の炭素粉や、喫煙後の非燃焼型喫煙物品１０の炭素熱源１２の灰の飛散を抑制できる。
【００５７】
＜第２実施形態＞
図１７は、第２実施形態に係るパッケージの閉状態の斜視図を示す。図１８は、第２実施形態に係るパッケージの開状態の斜視図を示す。図１９は、第２実施形態に係るパッケージの開状態の側面図を示す。図２０は、第２実施形態に係るパッケージの開状態の上面図（図１８の矢視Ａ）を示す。図２１は、図１８のＢ−Ｂ断面図を示す。図２２は、第３実施形態に係るパッケージにおける、小領域と非燃焼型喫煙物品との接点を説明する図を示す。図２３は、第２実施形態に係るパッケージの分解斜視図を示す。第２実施形態に係るパッケージ３００は、パッケージ本体２、及びリッド３を備え、パッケージ本体２、及びリッドは、第１実施形態と同様の構成である。したがって、パッケージ本体２、及びリッド３の説明は割愛する。
【００５８】
パッケージ本体２は、パッケージ本体２を仕切る第３縦仕切部６によって、複数の小領域ＳＲに仕切られている。第２実施形態では、パッケージ本体２が１４個の小領域ＳＲに仕切られており、各小領域ＳＲに非燃焼型喫煙物品１０を１本ずつ収容可能である。また、これらの小領域ＳＲは、開口断面が、対角線の長さが異なるひし形である。具体的には、小領域ＳＲの開口断面は、前後方向の対角線が横方向の対角線よりも長いひし形である。第３縦仕切部６は、前方から後方に向けて斜めに延び、パッケージ本体２を横方向に仕切る第３斜壁６１及び第４斜壁６２、を含む。第３斜壁６１及び第４斜壁６２は、本発明の縦壁の一例である。
【００５９】
第３斜壁６１は、パッケージ本体の前壁２１からパッケージ本体の後壁２２に向けて斜めに延びている。第４斜壁６２は、第３斜壁６１と交わるように、パッケージ本体の前壁２１からパッケージ本体の後壁２２に向けて斜めに延びている。なお、横方向の両側に位置する第３斜壁６１、及び第４斜壁６２は、例外的に、パッケージ本体の側壁２３，２３からパッケージ本体の前壁２１又はパッケージ本体の後壁２２に向けて斜めに延びている。第３斜壁６１、及び第４斜壁６２の上端は、第３横仕切部７の下面と接し、第３斜壁６１、及び第４斜壁６２の下端は、パッケージ本体の下壁２４と接している。
【００６０】
＜＜横仕切部＞＞
第２実施形態に係るパッケージ３００は、上述した第３縦仕切部６に加え、第３横仕切部７によって、パッケージ本体２が高さ方向においても仕切られている。詳細には、第３横仕切部７は、第３横仕切部の上壁７０、パッケージ本体の前壁２１の内側に沿う第３横仕切部の前壁７１、パッケージ本体の後壁２２の内側に沿う第３横仕切部の後壁７２、パッケージ本体の側壁２３，２３の内側に沿う第３横仕切部の側壁７３，７３を含む。第３横仕切部の上壁７０は、喫煙前の非燃焼型喫煙物品１０の吸い口側の端部が第３横仕切部の上壁７０から露出するように、パッケージ本体の後壁２２の上端よりもやや低い高さに設けられている。一方で、第３横仕切部の上壁７０は、喫煙後の非燃焼型喫煙物品１０の吸い口側の端面が第３横仕切部の上壁７０と同じになるように、パッケージ本体の後壁２２の上端よりもやや低い高さに設けられている。また、第３横仕切部の上壁７０には、１４個の小領域ＳＲに対応して、非燃焼型喫煙物品１０が貫通する、第３横仕切部の孔７０１が形成されている。
【００６１】
第３横仕切部の上壁７０の前縁には、下方に延びる第３横仕切部の前壁７１の上縁が連なっている。第３横仕切部の上壁７０の後縁には、下方に延びる第３横仕切部の後壁７２の上縁が連なっている。第３横仕切部の上壁７０の両側縁には、下方に延びる第３横仕切部の側壁７３，７３の上縁が連なっている。
【００６２】
＜＜ブランク＞＞
図２４は、第２実施形態に係るパッケージの第３縦仕切部の組み立て手順を説明する図を示す。図２５は、第２実施形態に係るパッケージの第３縦仕切部の一部を構成するブランクを示す。図２６は、第２実施形態に係るパッケージの第３縦仕切部の一部を構成するブランクを示す。図２７は、第２実施形態に係るパッケージの第３縦仕切部の一部を構成するブランクを示す。図２８は、第２実施形態に係るパッケージの第３縦仕切部の一部を構成するブランクを示す。図２９は、第２実施形態に係るパッケージの第３縦仕切部の一部を構成するブランクを示す。なお、第１実施形態と同じく、パッケージ本体２、及びリッド３には、既存の各種ブランクを用いることができる。したがって、パッケージ本体２、及びリッド３を構成するブランクの説明は、割愛する。
【００６３】
ブランクＢ３１，Ｂ３２，Ｂ３３，Ｂ３４は、何れも全体として同面積の長方形である。ブランクＢ３１，Ｂ３２，Ｂ３３，Ｂ３４を構成する区域は、各ブランクで異なっており、また、切欠き及び折り込み線の位置も夫々異なっている。区域の最小幅は、開口断面がひし形の小領域ＳＲにおけるひし形の一辺に対応している。なお、ブランクＢ３１，Ｂ３２，Ｂ３３，Ｂ３４の説明では、折り込み線は、前方側に膨らむように折る山折りを一点鎖線で示し、後方側に膨らむように折る谷折りを点線で示すものとする。
【００６４】
図２５に示すブランクＢ３１は、図２５の左側から順に、区域Ｒ３１１,Ｒ３１２，Ｒ３１３，Ｒ３１４，Ｒ３１５，Ｒ３１６が連なっている。区域Ｒ３１１,Ｒ３１２，Ｒ３１５，Ｒ３１６は、開口断面がひし形の小領域ＳＲにおけるひし形の一辺分の幅を有し、区域Ｒ３１３，Ｒ３１４は、上記ひし形の三辺分の幅を有している。区域Ｒ３１１と区域Ｒ３１２との境界は、谷折りの折り込み線であり、下縁から中央まで延びる直線状の切欠きＣ３１１が形成されている。区域Ｒ３１２と区域Ｒ３１３との境界は、谷折りの折り込み線である。区域Ｒ３１３には、下縁から中央まで延びる直線状の切欠きＣ３１２，Ｃ３１３，Ｃ３１４が等間隔で形成されている。区域Ｒ３１３と区域Ｒ３１４との境界は、山折りの折り込み線である。区域Ｒ３１４には、下縁から中央まで延びる直線状の切欠きＣ３１５，Ｃ３１６，Ｃ３１７が等間隔で形成されている。区域Ｒ３１４と区域Ｒ３１５との境界は、谷折りの折り込み線である。区域Ｒ３１５と区域Ｒ３１６との境界は、谷折りの折り込み線であり、下縁から中央まで延びる直線状の切欠きＣ３１８が形成されている。
【００６５】
図２６に示すブランクＢ３２は、図２６の左側から順に、区域Ｒ３２１,Ｒ３２２，Ｒ３２３，Ｒ３２４，Ｒ３２５，Ｒ３２６が連なっている。区域Ｒ３２１,Ｒ３２２，Ｒ３２５，Ｒ３２６は、開口断面がひし形の小領域ＳＲにおけるひし形の一辺分の幅を有し、区域Ｒ３２３，Ｒ３２４は、上記ひし形の三辺分の幅を有している。区域Ｒ３２１と区域Ｒ３２２との境界は、山折りの折り込み線であり、下縁から中央まで延びる直線状の切欠きＣ３２１が形成されている。区域Ｒ３２２と区域Ｒ３２３との境界は、山折りの折り込み線である。区域Ｒ３２３には、図２６の左側から順に、下縁から中央まで延びる切欠きＣ３２２，上縁から中央まで延びる直線状の切欠きＣ３２３，下縁から中央まで延びる直線状の切欠きＣ３２４が等間隔で形成されている。区域Ｒ３２３と区域Ｒ３２４との境界は、谷折りの折り込み線である。区域Ｒ３２４には、図２６の左側から順に、下縁から中央まで延びる直線状の切欠きＣ３２５，上縁から中央まで延びる直線状の切欠きＣ３２６，下縁から中央まで延びる直線状の切欠きＣ３２７が等間隔で形成されている。区域Ｒ３２４と区域Ｒ３２５との境界は、山折りの折り込み線である。区域Ｒ３２５と区域Ｒ３２６との境界は、山折りの折り込み線であり、下縁から中央まで延びる直線状の切欠きＣ３２８が形成されている。
【００６６】
図２７に示すブランクＢ３３は、図２７の左側から順に、区域Ｒ３３１,Ｒ３３２，Ｒ３３３，Ｒ３３４，Ｒ３３５が連なっている。区域Ｒ３３１,Ｒ３３５は、開口断面がひし形の小領域ＳＲにおけるひし形の一辺分の幅を有し、区域Ｒ３３２，Ｒ３３４は、上記ひし形の三辺分の幅を有し、区域Ｒ３３３は、上記ひし形の四辺分の幅を有している。区域Ｒ３３１と区域Ｒ３２２との境界は、山折りの折り込み線であり、上縁から中央まで延びる直線状の切欠きＣ３３１が形成されている。区域Ｒ３３２には、図２７の左側から順に、下縁から中央まで延びる直線状の切欠きＣ３３２，上縁から中央まで延びる直線状の切欠きＣ３３３が等間隔で形成されている。区域Ｒ３３２と区域Ｒ３３３との境界は、谷折りの折り込み線である。区域Ｒ３３３には、図２７の左側から順に、上縁から中央まで延びる直線状の切欠きＣ３３４，下縁から中央まで延びる直線状の切欠きＣ３３５，上縁から中央まで延びる直線状の切欠きＣ３３６が等間隔で形成されている。区域Ｒ３３３と区域Ｒ３３４との境界は、山折りの折り込み線である。区域Ｒ３３４には、図２７の左側から順に、上縁から中央まで延びる直線状の切欠きＣ３３７，下縁から中央まで延びる直線状の切欠きＣ３３８が等間隔で形成されている。区域Ｒ３３４と区域Ｒ３３５との境界は、谷折りの折り込み線であり、上縁から中央まで延びる直線状の切欠きＣ３３９が形成されている。
【００６７】
図２８に示すブランクＢ３４は、図２８の左側から順に、区域Ｒ３４１,Ｒ３４２，Ｒ３４３，Ｒ３４４，Ｒ３４５が連なっている。区域Ｒ３４１,Ｒ３４５は、開口断面がひし形の小領域ＳＲにおけるひし形の一辺分の幅を有し、区域Ｒ３４２，Ｒ３４４は、上記ひし形の三辺分の幅を有し、区域Ｒ３４３は、上記ひし形の四辺分の幅を有している。区域Ｒ３４１と区域Ｒ３４２との境界は、谷折りの折り込み線であり、上縁から中央まで延びる直線状の切欠きＣ３４１が形成されている。区域Ｒ３４２には、図２８の左側から順に、上縁から中央まで延びる直線状の切欠きＣ３４２，Ｃ３４３が等間隔で形成されている。区域Ｒ３４２と区域Ｒ３４３との境界は、山折りの折り込み線である。区域Ｒ３４３には、図２８の左側から順に、上縁から中央まで延びる直線状の切欠きＣ３４４，Ｃ３４５，Ｃ３４６が等間隔で形成されている。区域Ｒ３４３と区域Ｒ３４４との境界は、谷折りの折り込み線である。区域Ｒ３４４には、図２８の左側から順に、上縁から中央まで延びる直線状の切欠きＣ３４７，Ｃ３４８が等間隔で形成されている。区域Ｒ３４４と区域Ｒ３４５との境界は、山折りの折り込み線であり、上縁から中央まで延びる直線状の切欠きＣ３４９が形成されている。
【００６８】
図２９に示すブランクＢ３５は、折り込み線で折ることで、第３横仕切部７を構成する。ブランクＢ３５は、第３横仕切部の上壁７０を構成する長方形の第３横仕切部の上壁区域Ｒ３５１を有する。第３横仕切部の上壁区域Ｒ３５１には、第３横仕切部の孔７０１を構成するため、１４個の第３横仕切部の孔７０１の夫々に対応する位置に、円形の切欠Ｃ３５が形成されている。
【００６９】
第３横仕切部の上壁区域Ｒ３５１の下縁には、第３横仕切部の前壁７１を構成する長方形の第３横仕切部の前壁区域Ｒ３５２が連なっている。第３横仕切部の上壁区域Ｒ３５１の上縁には、第３横仕切部の後壁７２を構成する長方形の第３横仕切部の後壁区域Ｒ３５３が連なっている。第３横仕切部の上壁区域Ｒ３５１の両側縁には、第３横仕切部の側壁７３，７３を構成する長方形の第３横仕切部の側壁区域Ｒ３５３，Ｒ３５３が連なっている。
【００７０】
図２４（ａ）に示すように、ブランクＢ３１，Ｂ３２，Ｂ３３，Ｂ３４の夫々について、山折りの折り込み線では山折り、谷折りの折り込み線では谷折りされ、切欠き同士が適宜係合される。具体的には、ブランクＢ３４の切欠きＣ３４１は、ブランクＢ３２の切欠きＣ３２１と係合する。ブランクＢ３４の切欠きＣ３４２は、ブランクＢ３３の切欠きＣ３３２と係合する。ブランクＢ３４の切欠きＣ３４３は、ブランクＢ３１の切欠きＣ３１２と係合する。ブランクＢ３４の切欠きＣ３４４は、ブランクＢ３２の切欠きＣ３２４と係合する。ブランクＢ３４の切欠きＣ３４４は、ブランクＢ３３の切欠きＣ３３５と係合する。ブランクＢ３４の切欠きＣ３４５は、ブランクＢ３２の切欠きＣ３２４と係合する。ブランクＢ３４の切欠きＣ３４６は、ブランクＢ３１の切欠きＣ３１５と係合する。ブランクＢ３４の切欠きＣ３４７は、ブランクＢ３３の切欠きＣ３３８と係合する。ブランクＢ３４の切欠きＣ３４８は、ブランクＢ３２の切欠きＣ３２７と係合する。ブランクＢ３４の切欠きＣ３４９は、ブランクＢ３１の切欠きＣ３１８と係合する。
【００７１】
ブランクＢ３３の切欠きＣ３３１は、ブランクＢ３１の切欠きＣ３１１と係合する。ブランクＢ３３の切欠きＣ３３２は、ブランクＢ３４の切欠きＣ３４２と係合する。ブランクＢ３３の切欠きＣ３３３は、ブランクＢ３２の切欠きＣ３２２と係合する。ブランクＢ３３の切欠きＣ３３４は、ブランクＢ３１の切欠きＣ３１４と係合する。ブランクＢ３３の切欠きＣ３３５は、ブランクＢ３４の切欠きＣ３４４と係合する。ブランクＢ３３の切欠きＣ３３６は、ブランクＢ３２の切欠きＣ３２５と係合する。ブランクＢ３３の切欠きＣ３３７は、ブランクＢ３１の切欠きＣ３１７と係合する。ブランクＢ３３の切欠きＣ３３８は、ブランクＢ３４の切欠きＣ３４７と係合する。ブランクＢ３３の切欠きＣ３３９は、ブランクＢ３２の切欠きＣ３２８と係合する。
【００７２】
ブランクＢ３２の切欠きＣ３２１は、ブランクＢ３４の切欠きＣ３４１と係合する。ブランクＢ３２の切欠きＣ３２２は、ブランクＢ３３の切欠きＣ３３３と係合する。ブランクＢ３２の切欠きＣ３２３は、ブランクＢ３１の切欠きＣ３１３と係合する。ブランクＢ３２の切欠きＣ３２４は、ブランクＢ３４の切欠きＣ３４４と係合する。ブランクＢ３２の切欠きＣ３２５は、ブランクＢ３３の切欠きＣ３３６と係合する。ブランクＢ３２の切欠きＣ３２６は、ブランクＢ３１の切欠きＣ３１６と係合する。ブランクＢ３２の切欠きＣ３２７は、ブランクＢ３４の切欠きＣ３４８と係合する。ブランクＢ３２の切欠きＣ３２８は、ブランクＢ３３の切欠きＣ３３９と係合する。
【００７３】
ブランクＢ３１の切欠きＣ３１１は、ブランクＢ３３の切欠きＣ３３１と係合する。ブランクＢ３１の切欠きＣ３１２は、ブランクＢ３４の切欠きＣ３４３と係合する。ブランクＢ３１の切欠きＣ３１３は、ブランクＢ３２の切欠きＣ３２３と係合する。ブランクＢ３１の切欠きＣ３１４は、ブランクＢ３３の切欠きＣ３３４と係合する。ブランクＢ３１の切欠きＣ３１５は、ブランクＢ３４の切欠きＣ３４６と係合する。ブランクＢ３１の切欠きＣ３１６は、ブランクＢ３２の切欠きＣ３２６と係合する。ブランクＢ３１の切欠きＣ３１７は、ブランクＢ３３の切欠きＣ３３７と係合する。ブランクＢ３１の切欠きＣ３１８は、ブランクＢ３４の切欠きＣ３４９と係合する。
【００７４】
以上により、第３縦仕切部６が成形される。ブランクＢ３５の折り込み線で折ることで、第３横仕切部７が成形される。図２３に示すように、第３縦仕切部６がパッケージ本体２内に収容され、第３縦仕切部６の上面に第３横仕切部７が被せされることで、第２実施形態に係るパッケージ３００が完成する。
【００７５】
＜＜作用効果＞＞
第２実施形態に係るパッケージ３００によれば、パッケージ本体２が、第３縦仕切部６、第３横仕切部７で仕切られているため、非燃焼型喫煙物品１０のパッケージ本体２内での移動が制限される。具体的には、図２１、図２２に示すように、パッケージ本体２が、開口断面がひし形の小領域ＳＲに仕切られており、開口断面がひし形の小領域ＳＲの内面と非燃焼型喫煙物品１０の周面とが４つの接点ＴＰで接している。そのため、非燃焼型喫煙物品１０同士の衝突や、非燃焼型喫煙物品１０とパッケージ３００の内壁面との衝突が抑制される。その結果、非燃焼型喫煙物品１０の損傷を抑制することができる。特に、非燃焼型喫煙物品１０の炭素熱源１２が割れてしまったり、炭素熱源１２がエアロゾル発生セクション１１から脱落することの抑制が可能となる。また、第２実施形態に係るパッケージ３００では、開口断面がひし形の小領域ＳＲの内面と非燃焼型喫煙物品１０の周面とが４つの接点ＴＰで接しており、小領域ＳＲの内面と非燃焼型喫煙物品１０の周面との間には空隙が存在する。そのため、開口断面を円形（点接触ではなく、線接触）や正五角形（接点が５つ）、それ以上の多角形（接点が５つ以上）とする場合と比較して、非燃焼型喫煙物品１０をパッケージ１００に出し入れする際の抵抗を低減することができ、また、小領域ＳＲの内面と非燃焼型喫煙物品１０の周面との間の空隙をより多く形成することができる。その結果、非燃焼型喫煙物品１０をパッケージ１００から容易に取り出すことができ、また、吸殻としての喫煙後の非燃焼型喫煙物品１０を、パッケージ３００のパッケージ本体２に容易に戻すことができる。
【００７６】
また、第３縦仕切部６は、４つのブランクＢ３１，Ｂ３２，Ｂ３３，Ｂ３４の夫々について、山折りの折り込み線では山折り、谷折りの折り込み線では谷折りされ、切欠き同士が適宜係合される。そのため、第３斜壁６１と第４斜壁６２とによって構成される小領域ＳＲは、変形が許容されている。そのため、非燃焼型喫煙物品１０を容易に取り出すことができ、また、吸殻としての喫煙後の非燃焼型喫煙物品１０を、パッケージの小領域ＳＲに容易に戻すことができる。
【００７７】
図２２に示すように、第２実施形態に係るパッケージ３００では、小領域ＳＲが対角線の長さが異なるひし形である。なお、図２２では、パッケージ本体２が省略され、縦仕切部４、具体的には、小領域ＳＲ、非燃焼型喫煙物品１０、及び小領域ＳＲと非燃焼型喫煙物品１０との接点ＴＰが示されている。第２実施形態に係るパッケージ３００では、小領域ＳＲが対角線の長さが異なるひし形であるため、収容される非燃焼型喫煙物品１０と小領域ＳＲの壁との接点ＴＰが、隣接する小領域ＳＲ同士で何れも供給されない構成となっている。接点ＴＰが共有しない場合、接点ＴＰが共有している場合と比較して、第３斜壁６１又は第４斜壁６２が撓みやすくなる。そのため、非燃焼型喫煙物品１０を容易に取り出すことができ、また、吸殻としての喫煙後の非燃焼型喫煙物品１０を、パッケージの小領域ＳＲに容易に戻すことができる。
【００７８】
また、第２実施形態に係るパッケージ３００は、第３縦仕切部６、第３横仕切部７によって、小領域ＳＲが完全に仕切られている。そのため、喫煙後の非燃焼型喫煙物品１０をパッケージ本体２に戻した場合でも、喫煙後の非燃焼型喫煙物品１０が喫煙前の非燃焼型喫煙物品１０を汚すこともない。また、第３横仕切部７によれば、喫煙前、又は喫煙後の非燃焼型喫煙物品１０の炭素熱源１２の炭素粉や、喫煙後の非燃焼型喫煙物品１０の炭素熱源１２の灰がパッケージ３００の外部に飛散することを抑制することができる。
【００７９】
また、第３横仕切部７は、第３横仕切部の上壁７０が、喫煙前の非燃焼型喫煙物品１０の端部が第３横仕切部の上壁７０から露出し、喫煙後の非燃焼型喫煙物品１０の吸い口端側の端面が第３横仕切部の上壁７０と同じになるように、パッケージ本体の後壁２２の上端よりもやや低い高さに設けられている。ここで、図３０は、第２実施形態に係るパッケージの開状態であり、喫煙前の非燃焼型喫煙物品が収容された状態の斜視図を示す。図３１は、第２実施形態に係るパッケージの開状態であり、喫煙後の非燃焼型喫煙物品が２本収容された状態の斜視図を示す。図３０、図３１に示すように、第２実施形態に係るパッケージ３００によれば、喫煙前の非燃焼型喫煙物品１０の吸い口側の端部が露出することで、パッケージ本体２に収容されている喫煙前の非燃焼型喫煙物品１０が摘み易くなり、パッケージ本体２から喫煙前の非燃焼型喫煙物品１０を容易に取り出すことができる。また、喫煙前の非燃焼型喫煙物品１０と喫煙後の非燃焼型喫煙物品１０を容易に区別することができる。また、喫煙後の非燃焼型喫煙物品１０の吸い口端側の端面が第３横仕切部の上壁７０と揃うため、美観にも優れている。なお、喫煙後の非燃焼型喫煙物品１０の吸い口端側の端面が第３横仕切部の上壁７０よりも低くなるように、第３横仕切部の上壁７０を設けてもよい。この場合、喫煙前、又は喫煙後の非燃焼型喫煙物品１０の炭素熱源１２の炭素粉や、喫煙後の非燃焼型喫煙物品１０の炭素熱源１２の灰の飛散が懸念される。しかしながら、小領域ＳＲは、第３横仕切部の孔７０１が、ひし形の開口断面の断面積よりも小さい断面積を有する円形により構成され、入口が狭く形成されている。そのため、喫煙前、又は喫煙後の非燃焼型喫煙物品１０の炭素熱源１２の炭素粉や、喫煙後の非燃焼型喫煙物品１０の炭素熱源１２の灰の飛散を抑制できる。
【００８０】
＜第３実施形態＞
図３２は、第３実施形態に係るパッケージの開状態の斜視図を示す。図３３は、第３実施形態に係るパッケージの開状態の側面図を示す。第３実施形態に係るパッケージ４００は、パッケージ本体２、及びリッド３を備える。パッケージ本体２、及びリッド３は、第１実施形態と同様の構成である。また、第３実施形態に係るパッケージ４００は、第４縦仕切部８により、パッケージ本体２が開口断面がひし形の小領域ＳＲによって仕切られている。但し、第３実施形態に係るパッケージ４００は、小領域ＳＲが上部から下部に向けて徐々に横断面の面積が徐々に小さくなるように形成されている。換言すると、小領域ＳＲを形成する壁が傾斜している。
【００８１】
第３実施形態に係るパッケージ４００によれば、パッケージ本体２のパッケージ本体２が、第４縦仕切部８で仕切られているため、非燃焼型喫煙物品１０のパッケージ本体２内での移動が制限される。特に、パッケージ本体２が、第４縦仕切部８により、開口断面がひし形の小領域ＳＲに仕切られており、小領域ＳＲの下部において、開口断面がひし形の小領域ＳＲの内面と非燃焼型喫煙物品１０の周面とが４つの接点で接している。そのため、非燃焼型喫煙物品１０同士の衝突や、非燃焼型喫煙物品１０とパッケージ４００の内壁面との衝突が抑制される。その結果、非燃焼型喫煙物品１０の損傷を抑制することができる。特に、非燃焼型喫煙物品１０の炭素熱源１２が割れてしまったり、炭素熱源１２がエアロゾル発生セクション１１から脱落することの抑制が可能となる。
【００８２】
また、第３実施形態に係るパッケージ４００は、開口断面がひし形の小領域ＳＲの内面と非燃焼型喫煙物品１０の周面とが４つの接点で接しており、小領域ＳＲの内面と非燃焼型喫煙物品１０の周面との間には空隙が存在する。そのため、開口断面を円形（点接触ではなく、線接触）や正五角形（接点が５つ）、それ以上の多角形（接点が５つ以上）とする場合と比較して、非燃焼型喫煙物品１０をパッケージ１００に出し入れする際の抵抗を低減することができ、また、小領域ＳＲの内面と非燃焼型喫煙物品１０の周面との間の空隙をより多く形成することができる。その結果、非燃焼型喫煙物品１０をパッケージ１００から容易に取り出すことができ、また、吸殻としての喫煙後の非燃焼型喫煙物品１０を、パッケージ本体２に容易に戻すことができる。更に第３実施形態に係るパッケージ４００は、小領域ＳＲが上部から下部に向けて徐々に横断面の面積が徐々に小さくなるように形成されている。そのため、小領域ＳＲの下部で非燃焼型喫煙物品１０を固定でき、かつ、喫煙後の非燃焼型喫煙物品１０を、パッケージ本体２により容易に戻すことができる。
【００８３】
＜第４実施形態＞
図３４は、第４実施形態に係るパッケージの閉状態の斜視図を示す。図３５は、第４実施形態に係るパッケージの開状態の斜視図を示す。図３６は、第４実施形態に係るパッケージの開状態の側面図を示す。図３７は、第４実施形態に係るパッケージの開状態の上面図（図３５の矢視Ａ）を示す。第４実施形態に係るパッケージ１００は、所謂ヒンジリッドパッケージであり、パッケージ本体２と、パッケージ本体２に第１ヒンジＨ１を介して回動自在に連結される蓋部であるリッド３とを含む。パッケージ本体２、及びリッドは、第１実施形態と同様の構成である。したがって、パッケージ本体２、及びリッド３の説明は割愛する。
【００８４】
＜＜縦仕切部＞＞
パッケージ本体２は、内部を仕切る縦仕切部４によって、複数の小領域ＳＲに仕切られている。第４実施形態では、パッケージ本体２が１４個の小領域ＳＲに仕切られており、各小領域ＳＲに非燃焼型喫煙物品１０が１本ずつ収容可能である。縦仕切部４は、パッケージ本体２を前方と後方に仕切る中央壁４５、前方から後方に向けて斜めに延び、パッケージ本体２を横方向に複数に仕切る第１斜壁４６及び第２斜壁４７、パッケージ本体の前壁２１の内側に沿う縦仕切部の前壁４１、パッケージ本体の後壁２２の内側に沿う縦仕切部の後壁４２、パッケージ本体の側壁２３，２３の内側に沿う縦仕切部の側壁４３，４３を含む。中央壁４５、第１斜壁４６、第２斜壁４７、縦仕切部の前壁４１、縦仕切部の後壁４２、縦仕切部の側壁４３，４３は、本発明の縦壁の一例である。また、小領域ＳＲは、パッケージ本体２の奥行方向（高さ方向）に延びる、中央壁４５、第１斜壁４６、第２斜壁４７、縦仕切部の前壁４１、縦仕切部の後壁４２に仕切られた、開口断面が三角形の領域で、非燃焼型喫煙物品１０を一本ずつ収容する。
【００８５】
中央壁４５は、パッケージ本体の前壁２１とパッケージ本体の後壁２２との間に、これらの壁と平行に設けられている。中央壁４５は、上端がパッケージ本体の側壁２３，２３の上縁の中央付近に位置し、下端がパッケージ本体の下壁２４の内面に接している。
【００８６】
第１斜壁４６は、パッケージ本体の前壁２１からパッケージ本体の後壁２２に向けて斜めに延びている。第２斜壁４７は、中央壁４５の位置で第１斜壁４６と交わるように、パッケージ本体の前壁２１からパッケージ本体の後壁２２に向けて斜めに延びている。なお、横方向の両側に位置する第１斜壁４６、及び第２斜壁４７は、例外的に、パッケージ本体の側壁２３，２３からパッケージ本体の前壁２１又はパッケージ本体の後壁２２に向けて斜めに延びている。第１斜壁４６、及び第２斜壁４７の上端は、中央壁４５の上端と同じ高さにある。第１斜壁４６、及び第２斜壁４７の下端は、パッケージ本体の下壁２４と接しておらず、中央壁４５の下端よりも高い位置にある。縦仕切部の前壁４１、縦仕切部の後壁４２、縦仕切部の側壁４３，４３は、パッケージ本体の前壁２１、パッケージ本体の後壁２２、パッケージ本体の側壁２３，２３の内側に沿って配置されている。縦仕切部の前壁４１、縦仕切部の後壁４２、縦仕切部の側壁４３，４３は、上端が、中央壁４５の上端と同じ高さに設けられている。そのため、縦仕切部の前壁４１、及び縦仕切部の側壁４３，４３の上端は、パッケージ本体の前壁２１の上端よりも上方に突出しており、リッド３を閉じた際に、リッドの前壁３１及びリッドの側壁３３，３３の内側と接する。つまり、これらの突出した領域が所謂インナーフレームとしても機能し、リッド３の蓋閉まりを向上することができる。縦仕切部の前壁４１、及び縦仕切部の側壁４３，４３の下端は、パッケージ本体の下壁２４と接しておらず、中央壁４５の下端よりも高い位置にある。なお、第１斜壁４６、第２斜壁４７、縦仕切部の前壁４１、縦仕切部の後壁４２、縦仕切部の側壁４３，４３は、下端がパッケージ本体の下壁２４に接するようにしてもよい。これにより、夫々の小領域ＳＲの独立性を高めることができる。これにより、喫煙後の非燃焼型喫煙物品１０を小領域ＳＲに戻した場合でも、灰が他の小領域ＳＲに移動することがない。そのため、喫煙後の非燃焼型喫煙物品１０で喫煙前の非燃焼型喫煙物品１０を汚すことを低減できる。
【００８７】
＜＜ブランク＞＞
図３９は、第４実施形態に係るパッケージの縦仕切部の組み立て手順を説明する図を示す。図４０は、第４実施形態に係るパッケージの縦仕切部の一部を構成するブランクを示す。図４１は、第４実施形態に係るパッケージの縦仕切部の一部を構成するブランクを示す。なお、パッケージ本体２、及びリッド３には、既存の各種ブランクを用いることができる。したがって、パッケージ本体２、及びリッド３を構成するブランクの説明は、割愛する。
【００８８】
図４０に示すブランクＢ１は、中央壁４５を構成する。ブランクＢ１は、長方形であり、上縁から下縁近傍まで延びる直線状の切欠きＣ１が等間隔で３本形成されている。切欠きＣ１の間隔は、開口断面が三角形の小領域ＳＲにおける三角形の一辺に対応する。
【００８９】
図４１に示すブランクＢ２は、２枚のブランクＢ２を逆向きにして組み合わせることで、第１斜壁４６、第２斜壁４７、縦仕切部の前壁４１、縦仕切部の後壁４２、縦仕切部の側壁４３，４３を構成する。ブランクＢ２は、全体として長方形であり、縦仕切部の前壁４１を構成する前壁区域Ｒ１を有する。前壁区域Ｒ１の側方の縁には、縦仕切部の側壁４３の一部を構成する側壁区域Ｒ２が連なっている。側壁区域Ｒ２の側方の縁には、横方向の一方側の第１斜壁４６を構成する第１斜壁区域Ｒ３が連なっている。側壁区域Ｒ２と第１斜壁区域Ｒ３との境界には、上端から中央まで延びる直線状の切欠きＣ２が形成されている。第１斜壁区域Ｒ３の側方の縁には、複数の第２斜壁の一部を構成する第２斜壁区域Ｒ４が連なっている。第２斜壁区域Ｒ４の横方向の中央には、上端から中央まで延びる直線状の切欠きＣ２が形成されている。第２斜壁区域Ｒ４の側方の縁には、複数の第１斜壁の一部を構成する第１斜壁区域Ｒ５が連なっている。第１斜壁区域Ｒ５の横方向の中央には、上端から中央まで延びる直線状の切欠きＣ２が形成されている。第１斜壁区域Ｒ５の側方の縁には、複数の第２斜壁の一部を構成する第２斜壁区域Ｒ６が連なっている。第２斜壁区域Ｒ６の横方向の中央には、上端から中央まで延びる直線状の切欠きＣ２が形成されている。第２斜壁区域Ｒ６の側方の縁には、横方向の他方側の第１斜壁を構成する第１斜壁区域Ｒ７が連なっている。第１斜壁区域Ｒ７の側方の縁には、縦仕切部の側壁４３の一部を構成する側壁区域Ｒ８が連なっている。第１斜壁区域Ｒ７と側壁区域Ｒ８との境界には、上端から中央まで延びる直線状の切欠きＣ２が形成されている。側壁区域Ｒ８の側方の縁には、縦仕切部の後壁４２を構成する後壁区域Ｒ９が連なっている。なお、側壁区域Ｒ２，第１斜壁区域Ｒ３，第１斜壁区域Ｒ７，側壁区域Ｒ８は、開口断面が三角形の小領域ＳＲにおける三角形の一辺分の幅を有している。また、側壁区域Ｒ４，側壁区域Ｒ５，側壁区域Ｒ６は、上記三角形の二辺分の幅を有している。
【００９０】
図３９（ａ）に示すように、２枚のブランクＢ２は、図４１において破線で示した折り込み線で波状に夫々折り込まれる。次に、図３９（ｂ）に示すように、各ブランクＢ２の複数の切欠きＣ２同士が係合するように、２枚のブランクＢ２が組み合わされる。次に、図３９（ｃ）に示すように、ブランクＢ１の切欠きＣ１と、第２斜壁区域Ｒ４の切欠きＣ２，第１斜壁区域Ｒ５の切欠きＣ２，第２斜壁区域Ｒ６の切欠きＣ２とが係合するように、ブランクＢ１と、ブランクＢ２とが組み合わされる。次に、図３９（ｄ）に示すように、一方のブランクＢ２の前壁区域Ｒ１と他方のブランクＢ２の前壁区域Ｒ１が重なり、一方のブランクＢ２の側壁区域Ｒ２と他方のブランクＢ２の側壁区域Ｒ８が面一とされ、一方のブランクＢ２の後壁区域Ｒ９と他方のブランクの後壁区域Ｒ９が重なるように、破線で折り込まれる。その結果、図３９（ｅ）に示すように、縦仕切部４が成形される。なお、上記縦仕切部４の組み立て手順は、一例であり、これに限定されるものではない。
【００９１】
図３８に示すように、成形された縦仕切部４がパッケージ本体２内に収容され、第４実施形態に係るパッケージ１００が完成する。
【００９２】
＜＜作用効果＞＞
第４実施形態に係るパッケージ１００によれば、パッケージ本体２が縦仕切部４で仕切られているため、非燃焼型喫煙物品１０のパッケージ本体２内での移動が制限される。具体的には、図３７に示すように、パッケージ本体２が、開口断面が三角形の小領域ＳＲに仕切られており、開口断面が三角形の小領域ＳＲの内面と非燃焼型喫煙物品１０の周面とが３つの接点ＴＰで接している。そのため、非燃焼型喫煙物品１０同士の衝突や、非燃焼型喫煙物品１０とパッケージ本体２の内壁面との衝突が抑制される。その結果、非燃焼型喫煙物品１０の損傷を抑制することができる。特に、非燃焼型喫煙物品１０の炭素熱源１２が割れてしまったり、炭素熱源１２がエアロゾル発生セクション１１から脱落することの抑制が可能となる。また、第４実施形態に係るパッケージ１００では、開口断面が三角形の小領域ＳＲの内面と非燃焼型喫煙物品１０の周面とが３つの接点ＴＰで接しており、小領域ＳＲの内面と非燃焼型喫煙物品１０の周面との間には空隙が存在する。そのため、開口断面を円形（点接触ではなく、線接触）や正五角形（接点が５つ）、それ以上の多角形（接点が５つ以上）とする場合と比較して、非燃焼型喫煙物品１０をパッケージ１００に出し入れする際の抵抗を低減することができ、また、小領域ＳＲの内面と非燃焼型喫煙物品１０の周面との間の空隙をより多く形成することができる。その結果、非燃焼型喫煙物品１０をパッケージ１００から容易に取り出すことができ、また、吸殻としての喫煙後の非燃焼型喫煙物品１０を、パッケージ１００のパッケージ本体２に容易に戻すことができる。
【００９３】
図４２は、第４実施形態の変形例に係るパッケージにおける、小領域と非燃焼型喫煙物品との接点を説明する図を示す。図４２では、パッケージ本体２が省略され、縦仕切部４、具体的には、小領域ＳＲ、非燃焼型喫煙物品１０、及び小領域ＳＲと非燃焼型喫煙物品１０との接点ＴＰが示されている。第４実施形態の変形例に係る縦仕切部４は、第１実施形態と同様、小領域ＳＲが、パッケージ本体の奥行方向（高さ方向）に延びる、中央壁４５、第１斜壁４６、第２斜壁４７、縦仕切部の前壁４１、縦仕切部の後壁４２に仕切られた、開口断面が三角形の領域で、非燃焼型喫煙物品１０を一本ずつ収容する。但し、第４実施形態に係るパッケージ１００の縦仕切部４では、小領域ＳＲの開口断面が正三角形であったが、第４実施形態の変形例に係るパッケージの縦仕切部４では、小領域ＳＲの開口断面が二等辺三角形である。その結果、第４実施形態の変形例に係るパッケージの縦仕切部４では、小領域ＳＲの内面と非燃焼型喫煙物品１０の周面との３つの接点ＴＰのうち、中央壁４５上の接点ＴＰ以外の接点ＴＰは、隣接する小領域ＳＲ同士で共有されない構成となっている。接点ＴＰを共有しない場合、接点ＴＰを共有する場合と比較して、第１斜壁４６又は第２斜壁４７が撓みやすくなる。そのため、非燃焼型喫煙物品１０を容易に取り出すことができ、また、吸殻としての喫煙後の非燃焼型喫煙物品１０を、パッケージの小領域ＳＲに容易に戻すことができる。
【００９４】
第４実施形態の変形例に係るパッケージの縦仕切部４は、第４実施形態に係る縦仕切部４と同様に、２枚のブランクによって成形することができる。なお、第４実施形態に係るパッケージの縦仕切部４、及び第４実施形態の変形例に係るパッケージの縦仕切部４は、樹脂によって、一体成形してもよい。
【００９５】
以上、本発明の好適な実施形態を説明したが、本発明に係るパッケージは、種々の変更、改良、組み合わせ等が可能なことは当業者にとって自明である。
【００９６】
例えば、小領域ＳＲは、上述した実施形態以外の形状も採用することができる。図４３から図４６は、変形例に係る小領域と非燃焼型喫煙物品との接点を説明する図を示す。図４３から図４６では、パッケージ本体２が省略され、縦仕切部４ａ，４ｂ，４ｃ，４ｄ、具体的には、小領域ＳＲ、非燃焼型喫煙物品１０、及び小領域ＳＲと非燃焼型喫煙物品１０との接点ＴＰが示されている。
【００９７】
図４３は、開口断面が楕円形の小領域と非燃焼型喫煙物品との接点を説明する図を示す。図４３に示す縦仕切部４ａは、小領域ＳＲの開口断面が楕円形であり、小領域ＳＲの内面と非燃焼型喫煙物品１０の周面との接点ＴＰが２つである。小領域ＳＲの内面と非燃焼型喫煙物品１０の周面との間には、空隙が形成されている。小領域ＳＲを形成する縦壁は、パッケージ本体の奥行方向（高さ方向）に延びている。小領域ＳＲは、２つの接点ＴＰが、隣接する小領域ＳＲ同士で共有されない構成となっている。図４３に示す縦仕切部４ａでは、一つの小領域ＳＲと、前後方向に並ぶ２つの小領域ＳＲとが、横方向において交互に配置されることで、隣接する小領域ＳＲ同士で接点ＴＰ共有されない構成となっている。
【００９８】
図４４は、開口断面が二等辺三角形の小領域と非燃焼型喫煙物品との接点を説明する図を示す。図４４に示す縦仕切部４ｂは、小領域ＳＲの開口断面が二等辺三角形であり、小領域ＳＲの内面と非燃焼型喫煙物品１０の周面との接点ＴＰが３つである。小領域ＳＲの内面と非燃焼型喫煙物品１０の周面との間には、空隙が形成されている。小領域ＳＲを形成する縦壁は、パッケージ本体の奥行方向（高さ方向）に延びている。小領域ＳＲは、３つの接点ＴＰが、隣接する小領域ＳＲ同士で共有されない構成となっている。図４４に示す縦仕切部４ｂでは、第４実施形態の変形例に係る小領域ＳＲと異なり、向きの異なる小領域ＳＲが横方向において交互に配置され、前後方向には小領域ＳＲを並べないことで、隣接する小領域ＳＲ同士で接点ＴＰが共有されない構成となっている。
【００９９】
図４５は、開口断面がひし形の小領域と非燃焼型喫煙物品との接点を説明する図を示す。図４５に示す縦仕切部４ｃは、小領域ＳＲの開口断面がひし形であり、小領域ＳＲの内面と非燃焼型喫煙物品１０の周面との接点ＴＰが４つである。小領域ＳＲの内面と非燃焼型喫煙物品１０の周面との間には、空隙が形成されている。小領域ＳＲを形成する縦壁は、パッケージ本体の奥行方向（高さ方向）に延びている。小領域ＳＲは、４つの接点ＴＰが、隣接する小領域ＳＲ同士で共有されない構成となっている。図４５に示す縦仕切部４ｃの小領域ＳＲは、同じく開口断面がひし形である、第３実施形態の小領域ＳＲと比較して、前後方向に細長く形成されている。また、隣接する小領域ＳＲ同士で接点ＴＰが共有されない構成となっている。
【０１００】
図４６は、開口断面が細長の六角形の小領域と非燃焼型喫煙物品との接点を説明する図を示す。図４６に示す縦仕切部４ｄは、小領域ＳＲの開口断面が細長の六角形であり、小領域ＳＲの内面と非燃焼型喫煙物品１０の周面との接点ＴＰが４つである。小領域ＳＲの内面と非燃焼型喫煙物品１０の周面との間には、空隙が形成されている。小領域ＳＲを形成する縦壁は、パッケージ本体の奥行方向（高さ方向）に延びている。小領域ＳＲは、４つの接点ＴＰが、隣接する小領域ＳＲ同士で共有されない構成となっている。図４６に示す縦仕切部４ｄの小領域ＳＲは、前方側、後方側といったように、横方向において交互に配置されることで、隣接する小領域ＳＲ同士で接点ＴＰが共有されない構成となっている。
【０１０１】
図４３から図４６に示す縦仕切部４ａ，４ｂ，４ｃ，４ｄは、小領域ＳＲの内面と非燃焼型喫煙物品１０の周面との間に空隙が形成されており、非燃焼型喫煙物品１０を容易に取り出すことができ、また、吸殻としての喫煙後の非燃焼型喫煙物品１０を、パッケージの小領域ＳＲに容易に戻すことができる。また、隣接する小領域ＳＲ同士で接点ＴＰが共有されないことから、接点ＴＰを共有する場合と比較して、小領域ＳＲを形成する壁が撓みやすくなる。そのため、非燃焼型喫煙物品１０を容易に取り出すことができ、また、吸殻としての喫煙後の非燃焼型喫煙物品１０を、パッケージの小領域ＳＲに容易に戻すことができる。
【０１０２】
また、例えば、上述の実施形態では、パッケージに収容する棒状たばこ物品として、先端に炭素熱源１２を取り付けた非燃焼型喫煙物品１０を例に挙げて説明したが、シガレットや他の棒状たばこ物品を収容してもよい。
【０１０３】
例えば、第１実施形態に係るパッケージ２００、第３実施形態に係るパッケージ４００、第４実施形態に係るパッケージ１００についても、喫煙後の非燃焼型喫煙物品１０の炭素熱源１２からの熱による変質を抑制するため、パッケージ本体２の内側面等や小領域ＳＲの下部にアルミニウムからなる耐熱層を形成してもよい。耐熱層は、アルミニウムに限らず、耐熱プラスチック、石綿、その他の基礎材など、耐熱性能を有するものあればよい。
【０１０４】
例えば、上述した第１実施形態に係るパッケージ２００、第２実施形態に係るパッケージ３００、第３実施形態に係るパッケージ４００、第４実施形態に係るパッケージ１００は、紙材によって構成することができる。但し、材質は、特に限定されない。第１実施形態に係るパッケージ２００、第２実施形態に係るパッケージ３００、第３実施形態に係るパッケージ４００、第４実施形態に係るパッケージ１００は、全体、又は一部（例えば、縦仕切部）を、樹脂によって構成してもよい。また、図４３から図４６に示す縦仕切部４ａ，４ｂ，４ｃ，４ｄは、紙材によって構成してもよく、また、樹脂によって構成してもよい。
【符号の説明】
【０１０５】
１００、２００、３００、４００・・・パッケージ
２・・・パッケージ本体
３・・・リッド
４・・・縦仕切部
６・・・第３縦仕切部
７・・・第３横仕切部
８・・・第４縦仕切部
４１・・・縦仕切部の前壁
４２・・・縦仕切部の後壁
４３・・・縦仕切部の側壁
４５・・・中央壁
４６・・・第１斜壁
４７・・・第２斜壁
５１・・・第１横仕切部
５２・・・第２横仕切部
６１・・・第３斜壁
６２・・・第４斜壁
４１０・・・第１縦仕切部
４１１・・・第１中央壁
４１２・・・第１分割壁
４２０・・・第２縦仕切部
４２１・・・第２中央壁
４２２・・・第２分割壁
ＳＲ・・・小領域
【図１】
0006478210.tif 000002
【図２】
0006478210.tif 000003
【図３】
0006478210.tif 000004
【図４】
0006478210.tif 000005
【図５】
0006478210.tif 000006
【図６】
0006478210.tif 000007
【図７】
0006478210.tif 000008
【図８】
0006478210.tif 000009
【図９】
0006478210.tif 000010
【図１０】
0006478210.tif 000011
【図１１】
0006478210.tif 000012
【図１２】
0006478210.tif 000013
【図１３】
0006478210.tif 000014
【図１４】
0006478210.tif 000015
【図１５】
0006478210.tif 000016
【図１６】
0006478210.tif 000017
【図１７】
0006478210.tif 000018
【図１８】
0006478210.tif 000019
【図１９】
0006478210.tif 000020
【図２０】
0006478210.tif 000021
【図２１】
0006478210.tif 000022
【図２２】
0006478210.tif 000023
【図２３】
0006478210.tif 000024
【図２４】
0006478210.tif 000025
【図２５】
0006478210.tif 000026
【図２６】
0006478210.tif 000027
【図２７】
0006478210.tif 000028
【図２８】
0006478210.tif 000029
【図２９】
0006478210.tif 000030
【図３０】
0006478210.tif 000031
【図３１】
0006478210.tif 000032
【図３２】
0006478210.tif 000033
【図３３】
0006478210.tif 000034
【図３４】
0006478210.tif 000035
【図３５】
0006478210.tif 000036
【図３６】
0006478210.tif 000037
【図３７】
0006478210.tif 000038
【図３８】
0006478210.tif 000039
【図３９】
0006478210.tif 000040
【図４０】
0006478210.tif 000041
【図４１】
0006478210.tif 000042
【図４２】
0006478210.tif 000043
【図４３】
0006478210.tif 000044
【図４４】
0006478210.tif 000045
【図４５】
0006478210.tif 000046
【図４６】
0006478210.tif 000047